(57)【要約】【課題】一対の破砕腕３３を備え、コンクリート構造物Ｗの被破砕部を両破砕腕間に挟み込んで圧砕する破砕機であって、両破砕腕の少なくとも一方に被破砕部に食い込む刃部３３１が形成されているものにおいて、刃部の食い込みで被破砕部の内部に生ずる粉塵が被破砕部の圧砕時に周辺に飛散することを防止できるようにする。【解決手段】破砕腕３３に、刃部３３１からコンクリート構造物Ｗの被破砕部に向けて水を噴射する噴射ノズル３５を設ける。より具体的には、破砕腕３３に刃部３３１の刃先に開口する孔を形成し、噴射ノズル３５をその先端面が刃部３３１の刃先の一部を成すように孔に装着する。【選択図】図２
2008264617.tif 000002
【特許請求の範囲】
【請求項１】
一対の破砕腕を備え、コンクリート構造物の被破砕部を両破砕腕間に挟み込んで圧砕する破砕機であって、両破砕腕の少なくとも一方に被破砕部に食い込む刃部が形成されているものにおいて、
刃部が形成された破砕腕に、刃部から被破砕部に向けて水を噴射する噴射ノズルが設けられていることを特徴とする破砕機。
【請求項２】
前記破砕腕に、前記刃部の刃先に開口する孔が形成され、この孔に前記噴射ノズルが装着されていることを特徴とする請求項１記載の破砕機。
【請求項３】
前記噴射ノズルはその先端面が前記刃部の刃先の一部を成すように前記孔に装着されていることを特徴とする請求項２記載の破砕機。
【発明の詳細な説明】
【技術分野】
【０００１】
本発明は、コンクリート構造物の解体に用いる破砕機に関する。
【背景技術】
【０００２】
この種の破砕機は、一対の破砕腕を備え、コンクリート構造物の被破砕部を両破砕腕間に挟み込んで圧砕するように構成されている。また、両破砕腕の少なくとも一方にはコンクリート構造物の被破砕部に食い込む刃部が形成されており、被破砕部に刃部の食い込みで亀裂を生じさせて、被破砕部が圧砕されやすくなるようにしている。
【０００３】
ところで、破砕機による破砕作業を行うと多量の粉塵が発生する。そこで、従来、破砕腕を軸着する支持フレームに散水ノズルを設け、被破砕部に水を掛けることで粉塵の発生を抑制するようにしたものが知られている（例えば、特許文献１参照）。
【０００４】
然し、このように散水ノズルから被破砕部に水を掛けても、被破砕部の圧砕時に粉塵が周辺に飛散してしまうことがある。
【特許文献１】特開２００３−１７２０３３号公報
【発明の開示】
【発明が解決しようとする課題】
【０００５】
本願発明者は、鋭意努力の結果、粉塵が飛散するのは以下の理由に因ることを知見するに至った。すなわち、破砕腕の刃部の食い込みで被破砕部に生ずる亀裂の成長に伴い、被破砕部の内部が細かく崩れて粉塵を生ずるが、被破砕部の内部には散水ノズルからの水が掛からないため、内部に生じた粉塵は乾いたままになる。その結果、被破砕部全体が圧砕されたときに、被破砕部の内部に生じた粉塵が空気中に舞い上がり周辺に飛散してしまう。
【０００６】
本発明は、以上の点に鑑み、被破砕部の圧砕時に粉塵が周辺に飛散することを効果的に防止できるようにした破砕機を提供することをその課題としている。
【課題を解決するための手段】
【０００７】
上記課題を解決するために、本発明は、一対の破砕腕を備え、コンクリート構造物の被破砕部を両破砕腕間に挟み込んで圧砕する破砕機であって、両破砕腕の少なくとも一方に被破砕部に食い込む刃部が形成されているものにおいて、刃部が形成された破砕腕に、刃部から被破砕部に向けて水を噴射する噴射ノズルが設けられていることを特徴とする。
【０００８】
本発明によれば、噴射ノズルからの水が破砕腕の刃部から噴射されるため、被破砕部への刃部の食い込みで生ずる亀裂に水が浸透する。そして、亀裂の成長に伴い被破砕部の内部に生ずる粉塵が水で湿らされる。従って、被破砕部全体が圧砕されたときに、被破砕部の内部に生じた粉塵が空気中に舞い上がって周辺に飛散することを効果的に防止できる。
【０００９】
また、本発明においては、破砕腕に、刃部の刃先に開口する孔が形成され、この孔に噴射ノズルが装着されていることが望ましい。これによれば、噴射ノズルからの水が刃部の刃先から噴射されることになり、被破砕部の内部に刃先を起点にして発生する亀裂に確実に水を浸透させることができる。
【００１０】
また、この場合、噴射ノズルはその先端面が刃部の刃先の一部を成すように上記孔に装着されていることが望ましい。これによれば、孔の形成で刃先の一部が欠損しても、この欠損した刃先の部分を噴射ノズルで埋め合わせることができ、破砕性能に悪影響を与えない。
【発明を実施するための最良の形態】
【００１１】
図１はコンクリート構造物Ｗ（図２参照）の解体装置を示している。この解体装置は、クレーン車やパワーシャベル等の建設機械のブーム１の先端にアーム部２を介して連結した破砕機３を備えている。そして、ブーム１とアーム部２の動きにより破砕機３がコンクリート構造物Ｗの被破砕部を挟む位置に移動される。
【００１２】
アーム部２は、ブーム１に対する取付けベース２１と、この取付けベース２１に軸２２ａを介して枢着され、油圧シリンダ２２ｂの作動で取付けベース２１に対し揺動する第１アーム２２と、第１アーム２２の先端部に軸２３ａを介して枢着され、油圧シリンダ２３ｂの作動により第１アーム２２に対し揺動する第２アーム２３とで構成されている。
【００１３】
破砕機３は、第２アーム２３の先端部に軸３１ａを介して枢着され、油圧シリンダ３１ｂの作動で第２アーム２３に対し揺動する取付けフレーム３１と、取付けフレーム３１に対しモータ３２ａの作動で旋回する支持フレーム３２と、支持フレーム３２に連結した一対の破砕腕３３，３３とで構成されている。各破砕腕３３はその中間部において軸３３ａを介して支持フレーム３２の先端部に枢着されている。そして、両破砕腕３３，３３の尾端間に油圧シリンダ３４を架設し、この油圧シリンダ３４の作動で両破砕腕３３，３３が開閉動作されるようにしている。
【００１４】
各破砕腕３３の他の破砕腕に対向する内側面には、先端の第１刃部３３１と、それより手前の第２刃部３３２とが突設されている。そして、各破砕腕３３に、第１刃部３３１からコンクリート構造物Ｗの被破砕部に向けて水を噴射する噴射ノズル３５を設けている。以下、この点について詳述する。
【００１５】
各破砕腕３３には、図３に示す如く、第１刃部３３１の刃先に開口する孔３３３が破砕腕３３の外側面に達するように形成されており、この孔３３３に噴射ノズル３５が装着されている。ここで、孔３３３は刃先側の径を大きくした段付き形状に形成され、噴射ノズル３５の外周面も同様の段付き形状に形成されている。そして、噴射ノズル３５の外周面の段部を孔３３３の段部に当接させたとき、噴射ノズル３５の先端面が第１刃部３３１の刃先と面一になるようにし、この状態で破砕腕３３の外側面に突出する噴射ノズル３５の尾端部にナット３６を螺着して、噴射ノズル３５を固定している。かくして、噴射ノズル３５はその先端面が第１刃部３３１の刃先の一部を成すように孔３３３に装着される。尚、コンクリート構造物Ｗの破砕時に噴射ノズル３５の損傷を生じないように、噴射ノズル３５は第１刃部３３１と同等以上の硬度の材料で形成される。
【００１６】
噴射ノズル３５には、図１に示す如く、ブーム１及びアーム部２に沿わせて配設した給水ホース３７が接続されている。そして、噴射ノズル３５に図外の高圧ポンプ等の給水源から給水ホース３７を介して水が所定の高圧で供給されるようにしている。また、給水ホース３７の下流端寄りの部分は、これに被破砕部が当たることのないように、係止具３７ａを用いて各破砕腕３３の外側面に沿わせて配設されている。
【００１７】
破砕機３の一対の破砕腕３３，３３を図２に実線で示す開き状態から閉じ動作させると、コンクリート構造物Ｗの被破砕部に各破砕腕３３の第１と第２の刃部３３１，３３２が食い込み、被破砕部の内部に亀裂を生じて被破砕部が弱化する。そして、被破砕部は最終的に両破砕腕３３，３３間に挟み込まれて圧砕される。
【００１８】
ここで、第１刃部３３１は第２刃部３３２に比し被破砕部により深く食い込む。そして、第１刃部３３１の食い込みで被破砕部に生ずる亀裂の成長に伴い、被破砕部の内部が細かく崩れて粉塵を生ずる。このままでは、被破砕部全体が圧砕されたときに、第１刃部３３１の食い込みで被破砕部の内部に生じた粉塵が空気中に舞い上がって周辺に飛散する。
【００１９】
然し、本実施形態では、噴射ノズル３５により第１刃部３３１から水が噴射されるため、亀裂に水が浸透する。特に、第１刃部３３１の刃先に開口する孔３３３に噴射ノズル３５を装着しているため、水が第１刃部３３１の刃先から噴射されることになり、この刃先を起点にして発生する亀裂に確実に水が浸透する。従って、亀裂の成長に伴い被破砕部の内部に生ずる粉塵を確実に湿らせることができる。その結果、被破砕部全体が圧砕されたときに、被破砕部の内部に生じた粉塵が空気中に舞い上がって周辺に飛散することを効果的に防止できる。
【００２０】
尚、本実施形態では、噴射ノズル３５をその先端面が刃先の一部を成すように孔３３３に装着しているが、噴射ノズル３５の先端面を孔３３３に没入させても、第１刃部３３１の刃先から水を噴射して、上記と同様の作用効果が得られる。但し、この場合には、第１刃部３３１の刃先が孔３３３の開口箇所で欠損することになり、破砕性能に悪影響が及ぶ虞がある。これに対し、本実施形態では、孔３３３の形成で欠損した刃先の部分を噴射ノズル３５で埋め合わせることができ、上記の不具合を生じない。
【００２１】
以上、本発明の実施形態について図面を参照して説明したが、本発明はこれに限定されない。例えば、破砕腕３３に、上記実施形態の噴射ノズル３５に加えて、破砕腕３３の第２刃部３３２から水を噴射する第２の噴射ノズルを設けても良い。更に、破砕機３の支持フレーム３２に、被破砕部に水を掛ける従来例と同様の散水ノズルを設けても良い。
【００２２】
また、上記実施形態の破砕機３は、一対の破砕腕３３，３３が共に開閉動作する両腕可動式のものであるが、一方の破砕腕が固定で他方の破砕腕のみが開閉動作する片腕可動式の破砕機にも同様に本発明を適用できる。また、片腕可動式の破砕機では、固定の破砕腕に刃部を形成しないことが有る。この場合は、可動の破砕腕のみに噴射ノズルを設ける。
【図面の簡単な説明】
【００２３】
【図１】本発明の実施形態の破砕機を具備する解体装置を示す側面図。
【図２】実施形態の破砕機の要部の拡大側面図。
【図３】実施形態の破砕機が具備する破砕腕の先端部の拡大断面図。
【符号の説明】
【００２４】
Ｗ…コンクリート構造物、３…破砕機、３３…破砕腕、３３１…刃部、３３３…孔、３５…噴射ノズル。
【図１】
2008264617.tif 000003
【図２】
2008264617.tif 000004
【図３】
2008264617.tif 000005